(57)【要約】    【課題】左右幅が略一定で開閉する開閉部材を備えた開閉式入賞手段を利用することにより、中央役物等の他の遊技部品が大型化した場合にも、スペース的な制約を受けることなく開閉式入賞手段を含む各遊技部品を容易に配置できるようにする。    【解決手段】遊技領域１２に第１開閉式入賞手段１７と、この第１開閉式入賞手段１７の下流側に配置された第２開閉式入賞手段１６とを備えている。第１開閉式入賞手段１７は左右幅が略一定で開閉し且つ閉状態のときにその上面で遊技球を第２開閉式入賞手段１６側に案内可能な開閉部材５２を備えている。【選択図】  図１
2010207265.tif 000002
【特許請求の範囲】
【請求項１】
遊技領域（１２）に第１開閉式入賞手段（１７）と、該第１開閉式入賞手段（１７）の下流側に配置された第２開閉式入賞手段（１６）とを備えた弾球遊技機において、前記第１開閉式入賞手段（１７）は左右幅が略一定で開閉し且つ閉状態のときにその上面で遊技球を前記第２開閉式入賞手段（１６）側に案内可能な開閉部材（５２）を備えたことを特徴とする弾球遊技機。
【請求項２】
前記第１開閉式入賞手段（１７）は前記遊技領域（１２）の右側に、前記第２開閉式入賞手段（１６）は前記遊技領域（１２）の左右の略中央に夫々配置されていることを特徴とする請求項１に記載の弾球遊技機。
【請求項３】
前記開閉部材（５２）は上面が前記第２開閉式入賞手段（１６）側へと一方向に傾斜していることを特徴とする請求項１又は２に記載の弾球遊技機。
【請求項４】
前記遊技領域（１２）に中央役物（１３）を挟んで左打ち通路（２４）と右打ち通路（２５）とを設け、前記中央役物（１３）の下側に、第１特別図柄表示手段（２１）の第１特別図柄を所定時間変動させる第１特別図柄始動手段（１５）と、前記第２開閉式入賞手段により構成され且つ遊技球の検出に基づいて第２特別図柄表示手段（２２）の第２特別図柄を所定時間変動させる第２特別図柄始動手段（１６）とを上下に備え、前記右打ち通路（２５）に、遊技球の検出に基づいて前記第２特別図柄始動手段（１６）を開放させる球検出手段（１４）と、該球検出手段（１４）の下流側に配置され且つ変動後の前記第１図柄又は前記第２図柄が所定の大当たり態様となることに基づいて開放する前記第１開閉式入賞手段（１７）とを備え、前記第１特別図柄始動手段（１５）は前記左打ち通路（２４）側からの遊技球を検出し易く構成されていることを特徴とする請求項１〜４の何れかに記載の弾球遊技機。
【請求項５】
前記中央役物（１３）の右下側に前記右打ち通路（２５）を挟んで装飾体（２３）を略円弧状に配置し、該装飾体（２３）の上部に前記球検出手段（１４）を、該球検出手段（１４）よりも下流に前記第１開閉式入賞手段（１７）を夫々配置したことを特徴とする請求項４に記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技盤の遊技領域に画像表示手段（中央役物）を挟んで左打ち通路と右打ち通路とを設け、その画像表示手段の下側に、左打ち通路からの遊技球が入賞し易い第１特別図柄始動手段を配置し、右打ち通路側にチューリップ式の第２特別図柄始動手段と、この第２特別図柄始動手段の上流側に配置され且つ第２特別図柄始動手段の開放の前提となる通過式の球検出手段とを配置したものがある（特許文献１）。
【０００３】
このパチンコ機では、通常確率状態中は左打ちにより左打ち通路を経て第１特別図柄始動手段に遊技球を集中させて、第１特別図柄表示手段の第１特別図柄の変動を繰り返し変動させる。そして、変動後の第１特別図柄が大当たり態様で停止して特別利益状態が発生し、その特別利益状態が終了した後に、第１特別図柄の種類によって高確率状態に移行すると、その高確率状態中は右打ち通路を経て球検出手段、第２特別図柄始動手段に遊技球を集中させる。
【０００４】
右打ち通路の遊技球が球検出手段を通過すると、第２特別図柄始動手段が開放する。そして、この第２特別図柄始動手段が遊技球を検出することを条件に、第２特別図柄表示手段の第２特別図柄が変動し、また第２特別図柄始動手段の遊技球の検出により高確率で大当たりを抽選するため、その変動後の第２特別図柄が高確率で大当たり態様となる可能性が大となる。
【０００５】
このように高確率状態中は、第１特別図柄始動手段に遊技球が入賞しないように、左打ち通路とは別に右打ち通路を設けて、その左打ち通路側に球検出手段、第２特別図柄始動手段を配置している。
【先行技術文献】
【特許文献】
【０００６】
【特許文献１】特開２００８−１２１８４号公報
【発明の概要】
【発明が解決しようとする課題】
【０００７】
従来のパチンコ機では、画像表示手段の右側で右打ち通路の途中にチューリップ式の第２特別図柄始動手段を配置しているため、第２特別図柄始動手段を遊技領域の右下の外周縁から内側に離して配置する必要があり、画像表示手段の大型化を図る場合には、その第２特別図柄始動手段の配置が大きな問題となる欠点がある。
【０００８】
即ち、チューリップ式の第２特別図柄始動手段は、左右一対の開閉部材がその下端部の前後方向の支軸廻りに開閉自在に枢支されており、開放時にはこの開閉部材が支軸廻りに外側へと倒れて左右両側に広がった状態となる。
【０００９】
このため、第２特別図柄始動手段が開放した状態においても、第２特別図柄始動手段とその外側の遊技領域の外周縁との間に一定の遊技球の通過領域ができるようにするためには、第２特別図柄始動手段を遊技領域の右下の外周縁から内側に十分に離して配置する必要がある。
【００１０】
しかし、第２特別図柄始動手段を画像表示手段側に寄せて配置すれば、この画像表示手段と第２特別図柄始動手段との間でも両者間に遊技球が十分に通過可能な間隔を確保し難くなるという同様の問題が生じてくることになる。
【００１１】
一方、チューリップ式の第２特別図柄始動手段の位置を画像表示手段よりも十分に下げて配置すれば、この第２特別図柄始動手段と画像表示手段、遊技領域の外周縁との間の間隔の問題は解消でき画像表示手段の大型化を図ることも可能であるが、第２特別図柄始動手段の位置が低くなり過ぎて、その下流側に別の入賞手段を配置できなくなる欠点がある。
【００１２】
従って、画像表示手段の右下側にチューリップ式の開閉式入賞手段を配置する限り、その位置が問題となって画像表示手段の大型化を図り難いという欠点がある。
【００１３】
また画像表示手段の画像表示部の外周側に大型の可動式演出手段等を設ける場合にも、可動式演出手段等を含む画像表示手段の全体が大型化するため、同様の問題がある。
【００１４】
本発明は、このような従来の問題点に鑑み、左右幅が略一定で開閉する開閉部材を備えた開閉式入賞手段を利用することにより、中央役物等の他の遊技部品が大型化した場合にも、スペース的な制約を受けることなく開閉式入賞手段を含む各遊技部品を容易に配置できる弾球遊技機を提供することを目的とする。
【課題を解決するための手段】
【００１５】
本発明は、遊技領域１２に第１開閉式入賞手段１７と、該第１開閉式入賞手段１７の下流側に配置された第２開閉式入賞手段１６とを備えた弾球遊技機において、前記第１開閉式入賞手段１７は左右幅が略一定で開閉し且つ閉状態のときにその上面で遊技球を前記第２開閉式入賞手段１６側に案内可能な開閉部材５２を備えたものである。
【発明の効果】
【００１６】
本発明によれば、前記第１開閉式入賞手段１７は左右幅が略一定で開閉し且つ閉状態のときにその上面で遊技球を第２開閉式入賞手段１６側に案内可能な開閉部材５２を備えいので、中央役物１２等の他の遊技部品が大型化した場合にも、スペース的な制約を受けることなく開閉式入賞手段１６，１７を含む各遊技部品を容易に配置できる
【図面の簡単な説明】
【００１７】
【図１】本発明の第１の実施形態を示すパチンコ機の正面図である。
【図２】同第１開閉式入賞手段等を備えた装飾体の斜視図である。
【図３】同第１開閉式入賞手段等の正面断面図である。
【図４】同第１開閉式入賞手段等の側面断面図である。
【図５】同第１開閉式入賞手段の背面断面図である。
【図６】同摺動案内部、前規制手段等の平面断面図である。
【図７】同後規制手段等の平面断面図である。
【図８】同要部の分解斜視図である。
【図９】本発明の第２の実施形態を示す第１開閉式入賞手段の側面断面図である。
【図１０】同第１開閉式入賞手段の正面断面図である。
【発明を実施するための形態】
【００１８】
以下、本発明の第１の実施形態を図面に基づいて詳述する。図１〜図８は本発明をパチンコ機に採用した第１の実施形態を例示する。パチンコ機１は図１に示すように矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジにより縦軸廻りに開閉自在に枢支されている。
【００１９】
前面板６の前側には発射用の遊技球を貯留する球供給皿７が配置され、その側方に遊技球を発射する発射手段（図示省略）の発射ハンドル８が設けられている。ガラス扉５の裏側には、このガラス扉５に対応するように前枠４に遊技盤１０が着脱自在に装着されている。
【００２０】
遊技盤１０の前面には、発射手段から発射された遊技球を案内するガイドレール１１が略円弧状に配置されると共に、そのガイドレール１１の内側の遊技領域１２に画像表示手段１３、普通図柄始動手段１４、第１特別図柄始動手段１５、第２特別図柄始動手段１６、大当たり用の第１開閉式入賞手段１７、普通入賞手段１８，１９、普通図柄表示手段２０、第１特別図柄表示手段２１、第２特別図柄表示手段２２、装飾体２３等の各種の遊技部品が配置されている。
【００２１】
画像表示手段１３は遊技領域１２の左右方向の略中央の上部に位置しており、この画像表示手段１３の左側が左打ち通路２４となり、画像表示手段１３の上側から右側が右打ち通路２５となっている。このため遊技領域１２は画像表示手段１３を挟んで左打ち通路２４と右打ち通路２５とに分かれている。
【００２２】
画像表示手段１３の下側の左右略中央には、第１特別図柄始動手段１５と第１特別図柄始動手段１６とアウト球口２６とがその順で上下方向に配置されている。画像表示手段１３の左下側には、画像表示手段１３との間に左打ち通路２４を置いて複数個の普通入賞手段１８が遊技領域１２の外周縁に沿って円弧状に配置されている。
【００２３】
また画像表示手段１３の右下側には、画像表示手段１３との間に右打ち通路２５を置いて遊技領域１２の外周縁に沿って装飾体２３が円弧状に配置されている。装飾体２３の上端側には球案内部２８と普通図柄始動手段１４とが、下端側には普通入賞手段１９が夫々設けられ、また中間に第１開閉式入賞手段１７が設けられている。
【００２４】
画像表示手段１３は中央役物の一例であって、液晶式等の画像表示部２９と、画像表示部２９に対応する表示窓３０を有し且つ遊技盤１０の前面に装着された前飾り枠３１とを備えている。前飾り枠３１には遊技盤１０から前側に突出する突出部３２を上部から左右両側部に跨がって備え、その突出部３２の上部側の前面に普通図柄表示手段２０と第１特別図柄表示手段２１、第２特別図柄表示手段２２とが装着されている。
【００２５】
また前飾り枠３１はその突出部３２の左側に球誘導口３４を有し、この球誘導口３４からの遊技球を下部の落下部３５から遊技盤１０の前側に落下させるようになっている。なお、普通図柄表示手段２０、第１特別図柄表示手段２１、第２特別図柄表示手段２２は他の部位に配置してもよい。
【００２６】
普通図柄表示手段２０は普通図柄を変動表示するためのもので、複数種類の普通図柄（例えば２種類の「○」「×」）に対応する複数個の発光素子により構成されており、普通図柄始動手段１４が遊技球を検出することを条件に２個の発光素子が交互に点灯するように所定時間点滅して、普通図柄始動手段１４の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２７】
第１特別図柄表示手段２１、第２特別図柄表示手段２２は発光部位の変化等で第１特別図柄、第２特別図柄を変動表示可能なセグメント式等の表示手段により構成されており、第１特別図柄始動手段１５、第２特別図柄始動手段１６が遊技球を検出することを条件に、第１特別図柄、第２特別図柄が所定時間変動して、第１特別図柄始動手段１５、第２特別図柄始動手段１６の遊技球の検出時に抽選された乱数値が予め定められた大当たり判定値と一致した場合に所定の大当たり態様で、それ以外の場合に外れ態様で停止するようになっている。
【００２８】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方の変動中の場合には他方は変動しない。また各特別図柄の始動検出は所定の上限数（例えば４）まで保留可能であり、両方に１以上の保留がある場合には、第２特別図柄表示手段２２の図柄変動が優先する。更に高確率状態中は第１特別図柄、第２特別図柄の変動時間も短縮される。
【００２９】
画像表示部２９は第１特別図柄表示手段２１、第２特別図柄表示手段２２に対応する演出図柄表示手段３７を構成するもので、第１特別図柄、第２特別図柄の変動時にその図柄変動に同期して変動する１個又は複数個、例えば３個の演出図柄３７ａ〜３７ｃを変動表示する。演出図柄３７ａ〜３７ｃは第１特別図柄始動手段１５、第２特別図柄始動手段１６の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段３７は第１特別図柄表示手段２１、第２特別図柄表示手段２２に対応して別々に設けてもよい。
【００３０】
演出図柄３７ａ〜３７ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００３１】
例えば、演出図柄３７ａ〜３７ｃには０〜９までの数字図柄が使用されており、特別図柄が大当たり態様で停止する場合には演出図柄３７ａ〜３７ｃは「７・７・７」等の大当たり演出態様で停止し、特別図柄が外れ態様で停止する場合には演出図柄３７ａ〜３７ｃは「２・４・５」等の外れ演出態様で停止する。
【００３２】
第１特別図柄始動手段１５は非開閉式であって、画像表示手段１３の下側に配置されており、この第１特別図柄始動手段１５は右打ち通路２５に比較して左打ち通路２４を経て落下する遊技球が入賞し易くなっている。
【００３３】
第２特別図柄始動手段１６は第２開閉式入賞手段を構成するもので、左右一対の開閉部材１６ａを備えた第２電動チューリップ式入賞手段等により構成され、普通図柄表示手段２０の変動後の普通図柄が当たり態様で停止した場合に所定の開放パターンで開放するようになっている。
【００３４】
第２特別図柄始動手段１６の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３５】
装飾体２３は、図２に示すように、遊技盤１０の前面に当接する取り付け板４０と、取り付け板４０の前面に前側に突出して装着された装飾板４１とを備えている。なお、装飾体２３は球案内部２８と第１開閉式入賞手段１７との間が遊技球の通過路４２となっており、この通過路４２を通過した遊技球は遊技領域１２の外周壁４３を経てアウト球口２６へと案内される。球案内部２８は装飾板４１の上端に画像表示手段１３側（中央側）が低くなる傾斜状に設けられ、この球案内部２８よりも上側で右打ち通路２５の外周壁４３に沿って落下する遊技球を中央側へと案内する。
【００３６】
普通図柄始動手段１４は遊技球の検出を条件に普通図柄表示手段２０の普通図柄を変動させるためのもので、右打ち通路２５を落下する遊技球が通過可能な通過式のものが用いられている。この普通図柄始動手段１４は、図２に示すように球案内部２８よりも上側に配置され、装飾板４１よりも上側に突出する取り付け板４０の上端部に設けられている。また普通図柄始動手段１４は、球案内部２８よりも画像表示手段１３側に位置し、その左右両側を遊技球が通過できるように画像表示手段１３、右打ち通路２５の外周壁４３との間に所定の間隔が設けられている。
【００３７】
普通入賞手段１９は、図２に示すように第１開閉式入賞手段１７の下側に設けられた周壁部４４との間に、遊技球の通過路４５を挟んで下側に配置されている。この普通入賞手段１９の入賞口１９ａは第１開閉式入賞手段１７と第２特別図柄始動手段１６との間で遊技領域１２の左右中央側に向いて斜め上向きに開口している。
【００３８】
第１開閉式入賞手段１７は変動後の第１特別図柄、第２特別図柄が大当たり態様で停止した場合に発生する大当たり状態中に所定の開放パターンで開閉するものであり、この第１開閉式入賞手段１７に遊技球が入賞した場合には、他の普通入賞手段１８，１９等への入賞よりも多くの賞球が払い出されるようになっている。なお、第１開閉式入賞手段１７の開閉パターンには、開放後に所定数の遊技球が入賞するか、所定時間が経過するかの何れか早い方で閉じる開閉動作を１ラウンドとして、そのラウンド数の違いにより複数の種類があり、大当たりの抽選時にその何れかが抽選される。
【００３９】
この第１開閉式入賞手段１７は、図２に示すように、左右の側壁部５０間で上向きに開口する横長状の入賞口５１と、略一定の左右幅で入賞口５１を開閉し且つ閉状態のときにその上面で転動する遊技球を第２特別図柄始動手段１６、普通入賞手段１９側に案内可能な開閉部材５２とを備えている。
【００４０】
入賞口５１は、図３、図４に示すように、装飾体２３の取り付け板４０及び装飾板４１と、これらの間に設けられた左右の一対の側壁部５０と、この左右の一対の側壁部５０間を左右に連結する底壁部５３とにより構成されており、この入賞口５１に入賞した遊技球は裏側の誘導通路５４へと誘導された後、誘導通路５４の下側の球検出スイッチ５５、案内通路５６を経て遊技盤１０の裏側へと案内されるようになっている。側壁部５０、底壁部５３は装飾板４１の裏面に一体に設けられている。
【００４１】
一対の側壁部５０の上部には、開閉部材５２の左右両側を受ける段差状の支持部５７が前後方向に設けられている。左右の支持部５７は略同一高さであり、この支持部５７から上側の側壁部５０は左側よりも右側が高くなっている。そして、右側の側壁部５０と周壁部４４の右側部分４４ａとの上端間には入賞口５１側に傾斜する傾斜部５８が設けられ、また左側の側壁部５０と周壁部４４の左側部分４４ｂとの上端間には第２特別図柄始動手段１６側（左右方向の中央側）に傾斜する傾斜部５９，６０が段違い状に設けられている。従って、入賞口５１の実質的な入賞領域Ｃは、傾斜部５８，５９の最頂部間になっている。
【００４２】
誘導通路５４は入賞口５１の左右幅よりも狭くなっており、取り付け板４０の裏側に装着された裏ケース６３内に、入賞口５１の略中央に対応して通路壁６４により入賞口５１に裏側から連通するように形成されている。なお、入賞口５１の底壁部５３は、誘導通路５４の右側に偏位して設けられ且つ誘導通路５４へと遊技球を案内する案内溝５３ａと、案内溝５３ａ側に傾斜して左右両側に設けられた傾斜部５３ｂとを有する。通路壁６４の後上部６４ａは、取り付け板４０の裏面に当接する当接壁６５から裏側へと後下がりに傾斜している。
【００４３】
球検出スイッチ５５は、図３、図４に示すように、誘導通路５４の下で裏ケース６３に着脱自在に装着されている。球検出スイッチ５５は左右方向に長い矩形状であって、裏ケース６３の下側の保持部６６に嵌合して係止爪６７により固定され、その前端側が取り付け板４０の凹部６８に嵌合されている。当接壁６５の前面には、取り付け板４０の開口６９内に嵌合する突出壁７０が設けられている。
【００４４】
開閉部材５２は、図３〜図５に示すように、側壁部５０間で入賞口５１の上側を開閉する傾斜上面部７２と、この傾斜上面部７２の左右両端から下側に突出する補強リブ兼用の前後方向の摺動脚部７３とを有し、開口６９内で当接壁６５の上部に形成された案内口７１を介して、傾斜上面部７２により入賞口５１を上側から閉じる前進位置Ａ（図４に実線で示す位置）と、傾斜上面部７２が後退して入賞口５１を開放する後退位置Ｂ（図４に二点鎖線で示す位置）との間で前後方向に出退自在に配置されている。
【００４５】
傾斜上面部７２は第２特別図柄始動手段１６側（左右方向の中央側）へと緩やかに傾斜する板状であって、入賞口５１を閉じる閉状態（前進位置Ａ）のときに、その上に落下した遊技球を左右方向に転動させながら第２特別図柄始動手段１６側（左右方向の中央側）へと案内するようになっている。また各摺動脚部７３は閉状態のときに左右の各側壁部５０の支持部５７上に突出しており、この支持部５７により開閉部材５２の左右両端部、即ち摺動脚部７３が下側から支持されるようになっている。
【００４６】
開閉部材５２は図５にも示すように、その摺動脚部７３の下面が裏ケース６３の左右の摺動案内部７４により前後方向に摺動自在に支持され、また傾斜上面部７２及び摺動脚部７３に対応する上壁部７５ａ及び側壁部７５ｂを有する覆い部７５により外側から覆われている。
【００４７】
覆い部７５の内面、即ち上壁部７５ａの下面には、図３〜図５に示すように、左右方向に１本又は複数本（例えば２本）の突条７６が、側壁部７５ｂの内面には上下方向に１本又は複数本（例えば１本）の突条７７が夫々前後方向に形成され、この各突条７６，７７に対して開閉部材５２が摺動自在になっている。支持部５７と摺動案内部７４は支持部５７が摺動案内部７４よりも下側にあり、この支持部５７と摺動脚部７３の下面との間には微少間隙が設けられている。
【００４８】
開閉部材５２は、図４、図８に示すように、裏ケース６３と裏カバー８２との間に組み込まれた揺動部材８３、連動部材８４を介して、駆動手段７９の駆動により前進位置Ａと後退位置Ｂとの間で前後方向に摺動自在であり、前進位置Ａで前規制手段８０により、後退位置Ｂで後規制手段８１により夫々規制されている。
【００４９】
揺動部材８３は下端部に左右方向の枢軸８５を、上端部にＵ字状の係合部８６を夫々左右両側に備え、その枢軸８５が裏ケース６３と裏カバー８２との間で回動自在に挟持され、係合部８６が開閉部材５２の後端の左右一対の被係合部８７に係合している。被係合部８７は図７、図８に示すように、開閉部材５２の後端の後壁部８８よりも後方に設けられている。なお、開閉部材５２は、傾斜上面部７２よりも後方の略半分に前後方向のスリット８９が左右方向に複数本形成されている。
【００５０】
駆動手段７９はソレノイド等であって、開閉部材５２を突出位置に付勢するバネ等の付勢手段（図示省略）を有し、揺動部材８３の左右一側で裏ケース６３の裏面に固定されている。駆動手段７９にはその駆動により裏カバー８２内で前後方向に移動する連動部材８４が連結され、この連動部材８４に揺動部材８３の一側の係合部８３ａが上下方向に摺動可能に係合されている。
【００５１】
前規制手段８０は、図４、図６に示すように、開閉部材５２の後壁部８８の左右両端近傍から下方に突出する左右一対の係合突部９０と、誘導通路５４の通路壁６４の左右両側で各摺動案内部７４の内側近傍に裏側から凹入状に形成され且つ係合突部９０が裏側から係脱自在に係合する係合凹部９１とを有し、開閉部材５２が前進位置Ａのときに係合突部９０が係合凹部９１に裏側から係合して駆動手段７９のバネ等の付勢手段により前側に付勢されている。
【００５２】
後規制手段８１は、図４、図７に示すように、開閉部材５２の後端の後壁部８８と各被係合部８７の基部との間に後広がり状に形成された左右一対の前傾斜部９２と、裏カバー８２内に前上がり状に設けられ且つ前傾斜部９２に上側から当接する後傾斜部９３とを備え、開閉部材５２が後退位置Ｂのときに両傾斜部９２，９３が交差状に当接するようになっている。
【００５３】
ゲームに際しては、遊技者は発射手段を操作して遊技領域１２へと遊技球を発射させる。このとき通常確率状態であれば、遊技者は第１特別図柄始動手段１５に入賞し易い左打ち通路２４に遊技球が集中するように左打ちをする。遊技球が左打ち通路２４を経て下側へと落下する間に第１特別図柄始動手段１５に入賞すると、第１特別図柄表示手段２１の第１特別図柄、演出図柄表示手段３７の演出図柄３７ａ〜３７ｃが同期して所定時間変動する。そして、第１特別図柄始動手段１５に遊技球が入賞したときの抽選結果が大当たりであるか否かに応じて、第１特別図柄表示手段２１の変動後の第１特別図柄が大当たり態様又は外れ態様で停止し、演出図柄表示手段３７の演出図柄３７ａ〜３７ｃが大当たり演出態様又は外れ演出態様で停止する。
【００５４】
通常確率状態中でも右打ち通路２５に進入した遊技球が普通図柄始動手段１４に入賞すれば、普通図柄表示手段２０の普通図柄が変動して変動後に当たり態様で停止することもある。しかし、通常確率状態中は第２特別図柄始動手段１６の開放時間が極僅かであるため、第２特別図柄始動手段１６に遊技球が入賞する可能性は非常に低い。
【００５５】
第１特別図柄表示手段２１の変動後の第１特別図柄が大当たり態様で停止すれば大当たり状態となり、第１開閉式入賞手段１７が抽選された所定の開閉パターンで所定ラウンド数開閉動作を繰り返すので、遊技者は第１開閉式入賞手段１７に遊技球が入賞し易い右打ち通路２５側に遊技球を集中させるべく右打ちをする。
【００５６】
右打ち通路２５に入った遊技球は普通図柄始動手段１４、球案内部２８等を経て下方に落下した後、その一部の遊技球は傾斜部５８よりも右の通過路４２を経て下方へと流下し、残りの遊技球は傾斜部５８よりも左の第１開閉式入賞手段１７側へと流下する。
【００５７】
第１開閉式入賞手段１７は通常、前規制手段８０、駆動手段７９内のバネ等の付勢手段により開閉部材５２が図４に実線で示すように前進位置Ａに保持されており、この開閉部材５２の傾斜上面部７２により入賞口５１が閉鎖された状態にある。
【００５８】
そこで、駆動手段７９が作動すると、連動部材８４を介して揺動部材８３が枢軸８５廻りにａ矢示方向に揺動し、開閉部材５２は係合部８６、被係合部８７を介して図４に二点鎖線で示すように後退位置Ｂまでｂ矢示方向に後退し入賞口５１を開放する。
【００５９】
このようにして入賞口５１が開放すると、傾斜部５８の頂部よりも左に進入した遊技球は遊技釘等に阻止されつつも入賞口５１へと入賞する。例えば、傾斜部５８上に落下した遊技球は、この傾斜部５８により案内されて入賞口５１内へと入り、その底壁部５３の傾斜部５３ｂから案内溝５３ａを経て誘導通路５４へと誘導され、球検出スイッチ５５を通過して遊技盤１０の裏側へと通過して行く。
【００６０】
そして、例えば球検出スイッチ５５が１０個の遊技球の入賞を検出するか、又は開閉部材５２の開放後から所定時間が経過すると、駆動手段７９の駆動（復帰動作）により連動部材８４、揺動部材８３を介して開閉部材５２が前進位置Ａへと前進し、その傾斜上面部７２が入賞口５１を閉鎖する。
【００６１】
開閉部材５２が閉状態のときにその上に遊技球が落下すると、傾斜上面部７２が中央側が低くなるように緩やかに傾斜しているため、遊技球はこの傾斜上面部７２上を中央側へとｃ矢示方向に転動した後、傾斜上面部７２の左端から傾斜部５９，６０を経て下方へと落下する。
【００６２】
第１開閉式入賞手段１７が所定ラウンド数の開閉動作を消化すると、大当たり状態が終了する。しかし、この大当たり状態の契機となった大当たり抽選が高確率状態への確率変動を伴うものであれば、大当たり状態の終了後に高確率状態（特定遊技状態）に移行する。この高確率状態中は大当たりの抽選確率が高確率になる一方、第２特別図柄始動手段１６の開放時間が長くなり、また第１特別図柄表示手段２１、第２特別図柄表示手段２２の特別図柄の変動時間が短縮される時短状態となる。このため遊技者は有利な右打ち通路２５に遊技球を集中させる右打ちを継続する。
【００６３】
遊技球が普通入賞手段１９に入賞すれば普通図柄表示手段２０の普通図柄が所定時間変動し、当たり、外れの抽選結果に応じて変動後の普通図柄が当たり態様又は外れ態様で停止する。普通図柄が当たり態様で停止すれば、第２特別図柄始動手段１６が通常確率状態中よりも長い時間開放する。一方、このとき第１開閉式入賞手段１７は開閉部材５２が前進位置Ａにある閉状態にあるので、開閉部材５２上に落下した遊技球はその傾斜上面部７２上を転動して傾斜部５９，６０を経て第２特別図柄始動手段１６側へと落下する。このため第２特別図柄始動手段１６が開状態になれば、右打ち通路２５からの遊技球が第２特別図柄始動手段１６に入賞する可能性が高くなる。
【００６４】
第２特別図柄始動手段１６に遊技球が入賞すれば、第２特別図柄表示手段２２の第２特別図柄、演出図柄表示手段３７の演出図柄３７ａ〜３７ｃが同期して変動し、所定時間変動した後に大当たり、外れの抽選結果に応じて停止する。そして、変動後の第２特別図柄が大当たり態様で停止すれば大当たり状態が発生し、第１開閉式入賞手段１７が所定の開閉パターンで所定ラウンド数分開閉する。なお、高確率状態は、特別図柄が所定回数変動する等の所定の条件で終了し、その後は通常確率状態に戻る。
【００６５】
この実施形態では、画像表示手段１３の右下側に配置される第１開閉式入賞手段１７として、開閉部材５２が前後方向に摺動して入賞口５１を開閉する開閉構造のものを使用しており、入賞口５１の開閉時の左右幅が略一定であるため、この第１開閉式入賞手段１７を設けるに際しても、第１開閉式入賞手段１７と画像表示手段１３との間、第１開閉式入賞手段１７と遊技領域１２の外周壁４３との間に遊技球の通過に必要な所定の間隔を容易に確保することができる。従って、従来のチューリップ式に較べて、第１開閉式入賞手段１７の周辺部分に所定の間隔を確保しながらも、画像表示手段１３の大型化を容易に図ることができる。
【００６６】
また第１開閉式入賞手段１７は開閉部材５２が閉状態のときに入賞領域Ｃ内の遊技球を傾斜上面部７２に沿って中央側へと転動させて案内する構造とし、この第１開閉式入賞手段１７よりも中央側の下流に第２特別図柄始動手段１６、普通入賞手段１９があるため、第１開閉式入賞手段１７の入賞領域Ｃ内に落下しながらも第１開閉式入賞手段１７に入賞せずに落下する遊技球が直ちに死球となることがなく、第２特別図柄始動手段１６、普通入賞手段１９に入賞する可能性を持たせることができる。
【００６７】
第１開閉式入賞手段１７は開閉部材５２上に落下する遊技球を傾斜上面部７２に沿って遊技球を中央側へと転動させるようにしているが、入賞口５１の左右両側の側壁部５０の支持部５７で閉状態にある開閉部材５２の左右両端部を下側から受けて支持するようにしているため、開閉部材５２が閉状態のときには、右打ちされた遊技球が開閉部材５２上に間断なく落下するようなことがあっても、この開閉部材５２を安定的に保持することができる。
【００６８】
また開閉部材５２はその左右両側から下側に突出する補強リブ兼用の摺動脚部７３を前後方向に備え、この摺動脚部７３の下面が摺動案内部７４上を前後方向に摺動する構造であるため、開閉部材５２自体の剛性を容易に確保することができる。
【００６９】
更に開閉部材５２は前規制手段８０と駆動手段７９のバネ等の付勢手段とにより前進位置Ａに確実に保持できる。即ち、開閉部材５２が前進位置Ａに達すると、開閉部材５２の左右一対の係合突部９０が裏ケース６３の左右一対の係合凹部９１に裏側から係合し、その状態で駆動手段７９のバネ等の付勢手段により連動部材８４、揺動部材８３を介して開閉部材５２が前進方向に付勢されているので、開閉部材５２が左右方向に長い入賞口５１に対応した左右幅を有するにも拘わらず、前進位置Ａでの開閉部材５２のガタツキを極力防止でき、支持部５７があることと相俟って傾斜上面部７２により遊技球を安定的に中央側へと案内することができる。
【００７０】
図９、図１０は本発明の第２の実施形態を例示する。この実施形態では、第１開閉式入賞手段１７は右打ち通路２５に独立して設けられている。そして、この第１開閉式入賞手段１７は、上向きに開口する入賞口５１と、この入賞口５１よりも上側で横軸９６によりケース９７に枢支された開閉部材５２とを備えている。入賞口５１は第１の実施形態と同様に構成され、ケース９７内の誘導通路５４へと遊技球を案内する。
【００７１】
開閉部材５２は図外の駆動手段の駆動により、横軸９６から前側に突出して入賞口５１を上側で閉じる閉状態（図９に実線で示す状態）と、横軸９６から下側に突出して入賞口５１を開放する開状態（図９に二点鎖線で示す状態）との間で横軸９６廻りに回動自在である。そして、開閉部材５２は入賞口５１の閉状態のときに、その上面で遊技球を転動させて第２特別図柄始動手段１６側へと案内するようになっている。なお、開閉部材５２は入賞口５１の閉状態のときに上面が若干遊技盤１０側に傾斜するようになっている。なお、９９はガラス扉５のガラス板である。
【００７２】
このような構成の第１開閉式入賞手段１７の場合にも、開閉部材５２により入賞口５１を開閉するにも拘わらず、開閉時の左右幅が一定であるため、第１の実施形態と同様、第１開閉式入賞手段１７の周辺に所定の間隔を確保しながら画像表示手段１３の大型化を図ることができる。
【００７３】
以上、本発明の各実施形態について詳述したが、本発明はこの各実施形態に限定されるものではなく、本発明の趣旨を逸脱しない範囲で種々の変更が可能である。例えば、実施形態では、第１開閉式入賞手段１７を大当たり用の入賞手段とし、第２開閉式入賞手段を第２特別図柄始動手段１６としているが、第１開閉式入賞手段１７は大当たり用、第２開閉式入賞手段は第２特別図柄始動用に限定されるものではなく、他のものでもよい。
【００７４】
また第１開閉式入賞手段１７は開閉部材５２の上面で遊技球を左右方向に転動させて第２開閉式入賞手段側へと案内する場合には、入賞口５１、開閉部材５２の傾斜上面部７２は左右方向に長い方が望ましいが、必ずしも左右方向に長くする必要はない。
【００７５】
更に実施形態では開閉部材５２は上面で遊技球を一方向に案内するようにしているが、第１開閉式入賞手段１７の下流側の左右両側に第２開閉式入賞手段が配置される場合には、第１開閉式入賞手段１７の開閉部材５２の上面は左右両側へと山形状に傾斜する等して、遊技球を左右両側へと案内するようにしてもよい。勿論、開閉部材５２は遊技球を左右方向に案内する機能のないものでもよい。
【００７６】
また実施形態では右打ち通路２５に第１開閉式入賞手段１７、普通図柄始動手段１４を配置しているが、これらは左打ち通路２４に配置してもよい。第１特別図柄表示手段２１、第２特別図柄表示手段２２に対応して大当たり状態用の大入賞手段を別々に設けてもよい。その場合、第１開閉式入賞手段１７を第２特別図柄表示手段２２に対応する大入賞手段とし、第１特別図柄表示手段２１に対応する大入賞手段を第２特別図柄始動手段１６の下側に設けてもよい。
【００７７】
第２特別図柄始動手段１６は普通図柄始動手段１４の遊技球の検出を条件に普通図柄表示手段２０が変動して、その変動後の停止図柄が当たり態様となることを条件に開閉するようにしているが、球検出手段が遊技球を検出することを条件に開閉するようにしてもよい。
【００７８】
実施形態では第１開閉式入賞手段１７と装飾体２３とを結合する他、第１開閉式入賞手段１７は他の遊技部品から独立して設けてもよい。また第１特別図柄始動手段１５と第２特別図柄始動手段１６は１個の入賞手段により構成されているが、両者は上下に別々に設けてもよい。第２開閉式入賞手段は第２特別図柄始動手段１６以外のものでもよい。
【符号の説明】
【００７９】
１２  遊技領域
１３  画像表示手段（中央役物）
１４  普通図柄始動手段（球検出手段）
１５  第１特別図柄始動手段
１６  第２特別図柄始動手段（第２開閉式入賞手段）
１７  第１開閉式入賞手段
２１  第１特別図柄表示手段
２２  第２特別図柄表示手段
２３  装飾体
２４  左打ち通路
２５  右打ち通路
５２  開閉部材
【図１】
2010207265.tif 000003
【図２】
2010207265.tif 000004
【図３】
2010207265.tif 000005
【図４】
2010207265.tif 000006
【図５】
2010207265.tif 000007
【図６】
2010207265.tif 000008
【図７】
2010207265.tif 000009
【図８】
2010207265.tif 000010
【図９】
2010207265.tif 000011
【図１０】
2010207265.tif 000012